(57)【特許請求の範囲】
【請求項１】
２つのコイルからなる第１のコモンモードチョークコイルと、
２つのコイルからなる第２のコモンモードチョークコイルと、
第１のコイル及び該第１のコイルの一端とグランド電極との間に接続されている第１のコンデンサを含む第１のＬＣフィルタと、
第２のコイル及び該第２のコイルの一端とグランド電極との間に接続されている第２のコンデンサを含む第２のＬＣフィルタと、
絶縁層とコイル電極層とが積層されることにより構成されている第３のコイル、及び、絶縁層とコンデンサ電極層とが積層されることにより構成され、かつ、該第３のコイルの一端とグランド電極との間に接続されている第３のコンデンサからなる第３のＬＣフィルタと、
絶縁層とコイル電極層とが積層されることにより構成されている第４のコイル、及び、絶縁層とコンデンサ電極層とが積層されることにより構成され、かつ、該第４のコイルの一端とグランド電極との間に接続されている第４のコンデンサからなる第４のＬＣフィルタと、
前記絶縁層と共に積層され、かつ、前記第１のコイルと前記第３のコイルとを容量結合させる結合用電極層と、
を備え、
前記第１のコモンモードチョークコイルの２つのコイルは、前記第１のコイル及び前記第２のコイルとして兼用され、
前記第３のコイル及び前記第４のコイルは、前記第２のコモンモードチョークコイルの２つのコイルとして兼用され、
前記第１のコイルは、前記第３のコイル及び／又は前記第４のコイルと容量結合しており、
前記第３のＬＣフィルタ及び前記第４のＬＣフィルタは、前記第１のＬＣフィルタ及び前記第２のＬＣフィルタとは電気的に接続されておらず、
前記絶縁層、前記コイル電極層及び前記コンデンサ電極層は、前記第３のコイル及び前記第４のコイルが、積層方向において、前記第３のコンデンサと前記第４のコンデンサとの間に位置するように、積層されていること、
を特徴とするノイズフィルタ。
【請求項２】
前記結合用電極層は、積層方向から平面視したときに、前記第１のＬＣフィルタと前記第３のＬＣフィルタとの間に渡って形成されていること、
を特徴とする請求項１に記載のノイズフィルタ。
【請求項３】
前記結合用電極層は、積層方向から平面視したときに、前記第１のコイルのコイル軸、前記第２のコイルのコイル軸、前記第３のコイルのコイル軸及び前記第４のコイルのコイル軸と重ならないように形成されていること、
を特徴とする請求項２に記載のノイズフィルタ。
【請求項４】
前記第１のコイルの両端間に並列接続された第５のコンデンサを形成させるコンデンサ電極を更に備えること、
を特徴とする請求項１ないし請求項３のいずれかに記載のノイズフィルタ。
【発明の詳細な説明】
【技術分野】
【０００１】
本発明は、ノイズフィルタに関し、コモンモードチョークコイルを内蔵したノイズフィルタに関する。
【背景技術】
【０００２】
コモンモードノイズを除去するためのノイズフィルタとして、例えば、特許文献１に記載の積層型コモンモードチョークコイルが提案されている。該積層型コモンモードチョークコイルでは、一対のコイルを相互に重なった状態で配設させることにより、該一対のコイルを相互に磁気的に結合させて、コモンモードノイズの除去を可能にしている。
【０００３】
しかしながら、前記積層型コモンモードチョークコイルでは、コモンモードノイズしか除去できず、ノーマルモードノイズを除去できない。故に、ノーマルモードノイズを除去したい場合には、該積層型コモンモードチョークコイルに加えて、ノーマルモードノイズを除去するためのノイズ除去部品を別途設ける必要がある。その結果、該積層型コモンモードチョークコイルが適用された回路では、大型化が問題となる。
【先行技術文献】
【特許文献】
【０００４】
【特許文献１】特開平０８−１３８９３８号公報
【発明の概要】
【発明が解決しようとする課題】
【０００５】
そこで、本発明の目的は、ノーマルモードノイズ及びコモンモードノイズの両方を除去でき、かつ、小型化を図ることができるノイズフィルタを提供することである。
【課題を解決するための手段】
【０００６】
本発明の一形態であるノイズフィルタは、２つのコイルからなる第１のコモンモードチョークコイルと、２つのコイルからなる第２のコモンモードチョークコイルと、第１のコイル及び該第１のコイルの一端とグランド電極との間に接続されている第１のコンデンサを含む第１のＬＣフィルタと、第２のコイル及び該第２のコイルの一端とグランド電極との間に接続されている第２のコンデンサを含む第２のＬＣフィルタと、絶縁層とコイル電極層とが積層されることにより構成されている第３のコイル、及び、絶縁層とコンデンサ電極層とが積層されることにより構成され、かつ、該第３のコイルの一端とグランド電極との間に接続されている第３のコンデンサからなる第３のＬＣフィルタと、絶縁層とコイル電極層とが積層されることにより構成されている第４のコイル、及び、絶縁層とコンデンサ電極層とが積層されることにより構成され、かつ、該第４のコイルの一端とグランド電極との間に接続されている第４のコンデンサからなる第４のＬＣフィルタと、前記絶縁層と共に積層され、かつ、前記第１のコイルと前記第３のコイルとを容量結合させる結合用電極層と、を備え、前記第１のコモンモードチョークコイルの２つのコイルは、前記第１のコイル及び前記第２のコイルとして兼用され、前記第３のコイル及び前記第４のコイルは、前記第２のコモンモードチョークコイルの２つのコイルとして兼用され、前記第１のコイルは、前記第３のコイル及び／又は前記第４のコイルと容量結合しており、前記第３のＬＣフィルタ及び前記第４のＬＣフィルタは、前記第１のＬＣフィルタ及び前記第２のＬＣフィルタとは電気的に接続されておらず、前記絶縁層、前記コイル電極層及び前記コンデンサ電極層は、前記第３のコイル及び前記第４のコイルが、積層方向において、前記第３のコンデンサと前記第４のコンデンサとの間に位置するように、積層されていること、を特徴とする。
【発明の効果】
【０００７】
本発明によれば、コモンモードチョークコイルの２つのコイルが、第１のフィルタのコイルと第２のフィルタのコイルとを兼ねている。そのため、本発明では、従来のように、コモンモードチョークコイルに加えて、ノーマルモードノイズを除去するためのフィルタを別途設ける必要がない。その結果、本発明では、コモンモードノイズ及びノーマルモードノイズを除去することができ、かつ、素子の小型化を図ることが可能となる。
【図面の簡単な説明】
【０００８】
【図１】第１の実施形態に係るノイズフィルタの外観斜視図である。
【図２】第１の実施形態に係るノイズフィルタの積層体の分解図である。
【図３】第１の実施形態に係るノイズフィルタの等価回路図である。
【図４】コモンモードノイズの反射特性と周波数との関係を示したグラフである。
【図５】ノーマルモードノイズの挿入損失と周波数との関係を示したグラフである。
【図６】ノーマルモードノイズ及びコモンモードノイズの挿入損失と周波数との関係を示したグラフである。
【図７】結合用電極層の変形例を示した図である。
【図８】第２の実施形態に係るノイズフィルタの積層体の分解斜視図である。
【図９】第２の実施形態に係るノイズフィルタの等価回路図である。
【図１０】第３の実施形態に係るノイズフィルタの積層体の分解斜視図である。
【図１１】第３の実施形態に係るノイズフィルタの等価回路図である。
【図１２】第４の実施形態に係るノイズフィルタの積層体の分解斜視図である。
【図１３】第４の実施形態に係るノイズフィルタの等価回路図である。
【図１４】第５の実施形態に係るノイズフィルタの積層体の分解斜視図である。
【図１５】第６の実施形態に係るノイズフィルタの積層体の分解斜視図である。
【図１６】第７の実施形態に係るノイズフィルタの積層体の分解斜視図である。
【図１７】第８の実施形態に係るノイズフィルタの積層体の分解斜視図である。
【図１８】第８の実施形態に係るノイズフィルタの等価回路図である。
【発明を実施するための形態】
【０００９】
以下に、本発明の実施形態に係るノイズフィルタについて説明する。
【００１０】
（第１の実施形態）
図１は、本発明の第１の実施形態に係るノイズフィルタ１０ａの外観斜視図である。図２は、ノイズフィルタ１０ａの積層体１２ａの分解図である。図３は、ノイズフィルタ１０ａの等価回路図である。以下では、ノイズフィルタ１０ａの形成時に、セラミックグリーンシートが積層される方向を積層方向と定義する。そして、この積層方向をｚ軸方向とし、ノイズフィルタ１０ａの長手方向をｘ軸方向とし、ｘ軸とｚ軸とに直交する方向をｙ軸方向とする。ｘ軸、ｙ軸及びｚ軸は、ノイズフィルタ１０ａを構成する辺に対して平行である。
【００１１】
（ノイズフィルタの構成）
ノイズフィルタ１０ａは、図１に示すように、内部に複数のＬＣフィルタ及びコモンモードチョークコイルを含む直方体状の積層体１２ａ、及び、積層体１２ａの表面に形成された外部電極Ｅ１〜Ｅ１０を備えている。以下、積層体１２ａのｘ軸方向の両端に位置する面を端面と定義し、積層体１２ａのｙ軸方向の両端に位置する面を側面と定義し、積層体１２ａのｚ軸方向の上側の面を上面と定義し、積層体１２ａのｚ軸方向の下側の面を下面と定義する。
【００１２】
外部電極Ｅ１，Ｅ３，Ｅ５，Ｅ７はそれぞれ、ｙ軸方向の正方向側の側面において、ｚ軸方向に延びるように形成されている。外部電極Ｅ１，Ｅ３，Ｅ５，Ｅ７はそれぞれ、入力端子として機能する。外部電極Ｅ２，Ｅ４，Ｅ６，Ｅ８はそれぞれ、ｙ軸方向の負方向側の側面において、ｚ軸方向に延びるように形成されている。外部電極Ｅ２，Ｅ４，Ｅ６，Ｅ８はそれぞれ、出力端子として機能する。外部電極Ｅ９，Ｅ１０はそれぞれ、両端面において、ｚ軸方向に延びるように形成されている。外部電極Ｅ９，Ｅ１０はそれぞれ、グランド電極として機能する。
【００１３】
積層体１２ａは、以下に説明するように、複数の内部電極層と複数の誘電体層とが共に積層されて構成され、内部にＬＣフィルタＬＣ１〜ＬＣ４及びコモンモードチョークコイルＬ１１，Ｌ１２を内蔵している。より詳細には、積層体１２ａは、図２に示すように、複数の誘電体層１４ａ〜１４ｃ，１６ａ，１６ｂ，１８ａ〜１８ｆ，２０，２２ｆ〜２２ａ，２４ｂ，２４ａ，２６ｃ〜２６ａがこの順に積層されることにより構成される。複数の誘電体層１４ａ〜１４ｃ，１６ａ，１６ｂ，１８ａ〜１８ｆ，２０，２２ａ〜２２ｆ，２４ａ，２４ｂ，２６ａ〜２６ｃは、それぞれ略同じ面積及び形状を有する長方形の絶縁層である。
【００１４】
誘電体層１６ａの主面上には、ｙ軸方向に長手方向を有する長方形状のコンデンサ電極層５０，５２，５４，５６が形成されている。コンデンサ電極層５０，５２，５４，５６はそれぞれ、ｙ軸方向の負方向側の端部において、コンデンサ電極層５０，５２，５４，５６と外部電極Ｅ２，Ｅ４，Ｅ６，Ｅ８とを接続するための引き出し部５１，５３，５５，５７を有している。また、誘電体層１６ｂの主面上には、ｘ軸方向に長手方向を有する長方形状のコンデンサ電極層５８が形成されている。コンデンサ電極層５８は、ｘ軸方向の両端部において、コンデンサ電極層５８と外部電極Ｅ９，Ｅ１０とを接続するための引き出し部７１，７２を有している。
【００１５】
コンデンサ電極層５０とコンデンサ電極層５８とが誘電体層１６ａを挟んで対向することにより、コンデンサＣ１を構成している。コンデンサ電極層５２とコンデンサ電極層５８とが誘電体層１６ａを挟んで対向することにより、コンデンサＣ２を構成している。コンデンサ電極層５４とコンデンサ電極層５８とが誘電体層１６ａを挟んで対向することにより、コンデンサＣ３を構成している。コンデンサ電極層５６とコンデンサ電極層５８とが誘電体層１６ａを挟んで対向することにより、コンデンサＣ４を構成している。
【００１６】
誘電体層１８ａ〜１８ｆの主面上にはそれぞれ、線状電極が折り曲げられた形状を有するコイル電極層３０ａ〜３０ｆ，４２ａ〜４２ｆが形成されている。より詳細には、コイル電極層３０ａ，４２ａはそれぞれ、「Ｌ」字形状を有し、その一端はそれぞれ、外部電極Ｅ２，Ｅ８に接続されている。コイル電極層３０ｂ〜３０ｅ，４２ｂ〜４２ｅは、同じ誘電体層１８上に形成されたもの同士で互いに反対方向に旋廻するように渦状に形成された電極層である。また、コイル電極層３０ｆ，４２ｆはそれぞれ、「Ｌ」字形状を有し、その一端はそれぞれ、外部電極Ｅ１，Ｅ７に接続されている。更に、誘電体層１８ａ〜１８ｅにはそれぞれ、コイル電極層３０ａ〜３０ｅ，４２ａ〜４２ｅの一端に接続されているビア導体３２ａ〜３２ｅ，４４ａ〜４４ｅが形成されている。これにより、誘電体層１
８ａ〜１８ｆが積層された場合には、ビア導体３２ａ〜３２ｅ，４４ａ〜４４ｅは、隣接する誘電体層１８ａ〜１８ｆに形成されたコイル電極層３０ａ〜３０ｆ，４２ａ〜４２ｆ同士を接続する。その結果、コイル電極層３０ａ〜３０ｆは、コイルＬ１を構成し、コイル電極層４２ａ〜４２ｆは、コイルＬ４を構成する。
【００１７】
誘電体層２４ａの主面上には、ｙ軸方向に長手方向を有する長方形状のコンデンサ電極層６０，６２，６４，６６が形成されている。コンデンサ電極層６０，６２，６４，６６はそれぞれ、ｙ軸方向の負方向側の端部において、コンデンサ電極層６０，６２，６４，６６と外部電極Ｅ２，Ｅ４，Ｅ６，Ｅ８とを接続するための引き出し部６１，６３，６５，６７を有している。また、誘電体層２４ｂの主面上には、ｘ軸方向に長手方向を有する長方形状のコンデンサ電極層６８が形成されている。コンデンサ電極層６８は、ｘ軸方向の両端部において、コンデンサ電極層６８と外部電極Ｅ９，Ｅ１０とを接続するための引き出し部７３，７４を有している。
【００１８】
コンデンサ電極層６０とコンデンサ電極層６８とが誘電体層２４ｂを挟んで対向することにより、コンデンサＣ１を構成している。コンデンサ電極層６２とコンデンサ電極層６８とが誘電体層２４ｂを挟んで対向することにより、コンデンサＣ２を構成している。コンデンサ電極層６４とコンデンサ電極層６８とが誘電体層２４ｂを挟んで対向することにより、コンデンサＣ３を構成している。コンデンサ電極層６６とコンデンサ電極層６８とが誘電体層２４ｂを挟んで対向することにより、コンデンサＣ４を構成している。
【００１９】
誘電体層２２ａ〜２２ｆの主面上にはそれぞれ、線状電極が折り曲げられた形状を有するコイル電極層３４ａ〜３４ｆ，３８ａ〜３８ｆが形成されている。より詳細には、コイル電極層３４ａ，３８ａはそれぞれ、「Ｌ」字形状を有し、その一端はそれぞれ、外部電極Ｅ４，Ｅ６に接続されている。コイル電極層３４ｂ〜３４ｅ，３８ｂ〜３８ｅは、同じ誘電体層２２上に形成されたもの同士で互いに反対方向に旋廻するように渦状に形成された電極層である。また、コイル電極層３４ｆ，３８ｆはそれぞれ、「Ｌ」字形状を有し、その一端はそれぞれ、外部電極Ｅ３，Ｅ５に接続されている。更に、誘電体層２２ｂ〜２２ｆにはそれぞれ、コイル電極層３４ｂ〜３４ｆ，３８ｂ〜３８ｆの一端に接続されているビア導体３６ｂ〜３６ｆ，４０ｂ〜４０ｆが形成されている。これにより、誘電体層２２ａ〜２２ｆが積層された場合には、ビア導体３６ｂ〜３６ｆ，４０ｂ〜４０ｆは、隣接する誘電体層２２ａ〜２２ｆに形成されたコイル電極層３４ａ〜３４ｆ，３８ａ〜３８ｆ同士を接続する。その結果、コイル電極層３４ａ〜３４ｆは、コイルＬ２を構成し、コイル電極層３８ａ〜３８ｆは、コイルＬ３を構成する。
【００２０】
積層体１２ａが以上のような構成を有することにより、図３に示すように、コイルＬ１及びコンデンサＣ１からなるＬＣフィルタＬＣ１、コイルＬ２及びコンデンサＣ２からなるＬＣフィルタＬＣ２、コイルＬ３及びコンデンサＣ３からなるＬＣフィルタＬＣ３、及び、コイルＬ４及びコンデンサＣ４からなるＬＣフィルタＬＣ４が形成されている。ＬＣフィルタＬＣ２，ＬＣ３は、ＬＣフィルタＬＣ１，ＬＣ２とは電気的に接続されていない。ここで、ＬＣフィルタＬＣ１を例にとると、コイルＬ１の一端が外部電極Ｅ１に接続されていると共に、コイルＬ１の他端が外部電極Ｅ２に接続されている。更に、コンデンサＣ１の一端は、コイルＬ１の他端に接続されていると共に、コンデンサＣ１の他端は、外部電極Ｅ９，Ｅ１０に接続されている。ＬＣフィルタＬＣ２，ＬＣ３，ＬＣ４の構成については、ＬＣフィルタＬＣ１の構成と同様であるので説明を省略する。
【００２１】
ところで、外部電極Ｅ１，Ｅ３が入力端子と機能し、外部電極Ｅ２，Ｅ４が出力端子と機能するので、図２において、コイルＬ１には、例えば、ｚ軸方向の下から上へと電流が流れ、コイルＬ２には、例えば、ｚ軸方向の上から下へと電流が流れる。すなわち、コイルＬ１とコイルＬ２とには、ｚ軸方向において逆方向に電流が流れる。更に、コイルＬ１
を構成するコイル電極層３０ａ〜３０ｆは、ｚ軸方向の下から上へと行くにしたがって時計回りに旋廻し、コイルＬ２を構成するコイル電極層３４ａ〜３４ｆは、ｚ軸方向の下から上へと行くにしたがって反時計回りに旋廻している。すなわち、コイルＬ１とコイルＬ２とは、互いに逆向きに旋廻している。したがって、コイルＬ１とコイルＬ２とに電流が流れた場合には、共に同じ方向に電流が旋廻するようになる。更に、コイルＬ１及びコイルＬ２は、図２に示すように、コイルＬ１のコイル軸とコイルＬ２のコイル軸とが略一致するようにｚ軸方向に並べて配置されている。その結果、コイルＬ１とコイルＬ２とは、同じ方向に磁束を発生して磁気的に結合することで、ＬＣフィルタＬＣ１とＬＣフィルタＬＣ２を構成するコイルと、コモンモードチョークコイルＬ１１を構成する２つのコイルとを兼用するようになる。特に、コイルＬ１とコイルＬ２とは、コンデンサＣ１，Ｃ２が接続された端部に対する他方の端部近傍（図２のｚ軸方向の中央部分）において、磁気結合している。コイルＬ３とコイルＬ４も、磁気結合して、ＬＣフィルタＬＣ１とＬＣフィルタＬＣ２を構成するコイルと、コモンモードチョークコイルＬ１２を構成する２つのコイルとを兼用しているが、その詳細についてはコイルＬ１とコイルＬ２と同じであるので説明を省略する。
【００２２】
更に、誘電体層１８ｆと誘電体層２２ｆとの間に配置された誘電体層２０の主面上には、コイルＬ１とコイルＬ３，Ｌ４とを容量結合させる結合用電極層７０が形成されている。該結合用電極層７０は、コイルＬ２とコイルＬ３，Ｌ４とも容量結合させている。結合用電極層７０は、コイルＬ３，Ｌ４についても同様にコイルＬ１，Ｌ２と容量結合させている。そのため、該結合用電極層７０は、ｚ軸方向から平面視したときに、ＬＣフィルタＬＣ１とＬＣフィルタＬＣ３，ＬＣ４との間に渡って形成されている。同様に、結合用電極層７０は、ｚ軸方向から平面視したときに、ＬＣフィルタＬＣ２とＬＣフィルタＬＣ３，ＬＣ４との間に渡って形成されている。
【００２３】
ここで、結合用電極層７０は、２つの環状の線状電極が接続された形状を有している。これは、コイルＬ１〜Ｌ４に電流が流れた場合に、コイルＬ１〜Ｌ４において発生する磁束を結合用電極層７０が妨げないようにするためである。
【００２４】
（効果）
以上のように、ノイズフィルタ１０ａによれば、ＬＣフィルタＬＣ１〜ＬＣ４が内蔵されていると共に、コイルＬ１〜Ｌ４がコモンモードチョークコイルＬ１１，Ｌ１２を構成するコイルを兼ねているので、ノーマルモードノイズ及びコモンモードノイズの両方を除去することができる。
【００２５】
また、ノイズフィルタ１０ａによれば、ＬＣフィルタとコモンモードチョークコイルとが一つのノイズフィルタ１０ａ内に内蔵されているので、ＬＣフィルタとコモンモードチョークコイルとが別々の電子部品により構成されている場合に比べて、回路全体を小型化できる。特に、ノイズフィルタ１０ａでは、コイルＬ１，Ｌ２は、コモンモードチョークコイルＬ１１を構成しているコイルとして機能すると共に、ＬＣフィルタＬＣ１，ＬＣ２の一部としても機能している。同様に、コイルＬ３，Ｌ４は、コモンモードチョークコイルＬ１２を構成しているコイルとして機能すると共に、ＬＣフィルタＬＣ３，ＬＣ４の一部としても機能している。このように、ノイズフィルタ１０ａでは、コイルＬ１〜Ｌ４が、ＬＣフィルタの一部及びコモンモードチョークコイルの一部に兼用されているので、ノイズフィルタ１０ａがより小型化される。
【００２６】
また、ノイズフィルタ１０ａでは、以下に説明するように、コモンモードノイズを効率よく除去することが可能となる。ｘｚ断面において、コイルＬ１が発生する磁束とコイルＬ２が発生する磁束、及び、コイルＬ１が発生する磁束とコイルＬ２が発生する磁束が等しくない場合には、ノーマルモードノイズがコモンモードノイズに変換されてしまい、新
たなコモンモードノイズが発生して、コモンモードノイズが効率よく除去されない。そこで、ノイズフィルタ１０ａでは、ｘｚ断面において、コイルＬ１が発生する磁束の大きさとコイルＬ２が発生する磁束の大きさとが略等しくなるように、コイルＬ１，Ｌ２の電流経路を構成している。同様に、ｘｚ断面において、コイルＬ３が発生する磁束の大きさとコイルＬ４が発生する磁束の大きさとが略等しくなるように電流経路を構成している。これにより、コイルＬ１とコイルＬ２との間及びコイルＬ３とコイルＬ４との間の特性の差を小さくできる。故に、ノーマルモードノイズがコモンモードノイズに変換されて、新たなコモンモードノイズが発生することがない。そのため、ノイズフィルタ１０ａでは、コモンモードチョークコイルＬ１１及びコモンモードチョークコイルＬ１２にて、より効率よくコモンモードノイズを除去することが可能となる。
【００２７】
また、ｘｚ断面においてコンデンサ電極が誘電体層２０に対して線対称な構造でない場合には、磁束の大きさが等しくなりにくいため、ノーマルモードノイズがコモンモードノイズに変換されてしまい、新たなコモンモードノイズが発生して、コモンモードノイズが効率よく除去されない。一方、図２に示すように、コンデンサ電極層５０，５２，５８，６０，６２，６８は、ｘｚ断面において、ＬＣフィルタＬＣ１とＬＣフィルタＬＣ２との境界線（図２では、誘電体層２０）に対して、略線対称な構造を有している。同様に、図２に示すように、コンデンサ電極層５４，５６，５８，６４，６６，６８は、ｘｚ断面において、ＬＣフィルタＬＣ３とＬＣフィルタＬＣ４の境界線（図２では、誘電体層２０）に対して、略線対称な構造を有している。これにより、コンデンサ電極層５０，５２，５８が、コイルＬ１による磁束に及ぼす影響と、コンデンサ電極層６０，６２，６８が、コイルＬ２による磁束に及ぼす影響とを等しくできる。同様に、コンデンサ電極層５４，５６，５８が、コイルＬ４による磁束に及ぼす影響と、コンデンサ電極層６４，６６，６８が、コイルＬ３による磁束に及ぼす影響とを等しくできる。すなわち、コイルＬ１とコイルＬ２との間及びコイルＬ３とコイルＬ４との間の特性の差をより小さくできる。故に、ノーマルモードノイズがコモンモードノイズに変換されて、新たなコモンモードノイズが発生することがない。そのため、ノイズフィルタ１０ａでは、コモンモードチョークコイルＬ１１及びコモンモードチョークコイルＬ１２にて、より効率よくコモンモードノイズを除去することが可能となる。
【００２８】
また、一般的には、ノイズ抑制効果を高めるには挿入損失特性を高めればよいが、更に効果を高める場合には、ノイズの反射を抑制して、ノイズに対して低反射とすることが重要となる。ノイズフィルタ１０ａでは、コモンモードチョークコイルＬ１１とコモンモードチョークコイルＬ１２とを容量結合させることにより、コモンモードチョークコイルＬ１１，Ｌ１２間でノイズの循環が発生し、低反射にすることができる。図４は、コモンモードノイズの反射特性と周波数との関係を示したグラフである。縦軸は、反射特性を示し、横軸は、周波数を示す。グラフ中の縦軸において、０ｄｂが全反射を示す。
【００２９】
図２に示すように、ノイズフィルタ１０ａでは、結合用電極層７０が設けられている。該結合用電極層７０は、コイルＬ１，Ｌ２からなる組とコイルＬ３，Ｌ４からなる組とを容量結合させている。これにより、図４のグラフに示すように、ノイズフィルタ１０ａは、結合用電極層７０がないノイズフィルタよりも、コモンモードノイズの反射を抑制することが可能となる。因みに、結合用電極層７０がない場合には、例えば、コイルＬ１とコイルＬ３との結合容量は、０．５ｐＦ程度であるが、結合用電極層７０がある場合には、コイルＬ１とコイルＬ３との結合容量は、５ｐＦ程度になる。なお、コイルＬ１〜Ｌ４は、図２に示すように、全てのものが容量結合していてもよいし、コイルＬ１〜Ｌ４の内の３つ又は２つのコイルが容量結合していてもよい。ただし、２つのコイルが容量結合している場合には、コイルＬ１，Ｌ２の内のいずれか一方と、コイルＬ３，Ｌ４の内のいずれか一方とが容量結合している必要がある。
【００３０】
また、ノイズフィルタ１０ａでは、コイル電極層３０ａ〜３０ｆ，３４ａ〜３４ｆ、コンデンサ電極層５０，５２，５８，６０，６２，６８、及び、誘電体層１６ａ，１６ｂ，１８ａ〜１８ｆ，２２ａ〜２２ｆ，２４ａ，２４ｂは、図２に示すように、コイルＬ１，Ｌ２が、ｚ軸方向において、コンデンサＣ１，Ｃ２の間に位置するように積層されている。すなわち、コイルＬ１とコイルＬ２との間には、コンデンサが設けられていない。そのため、コイルＬ１及びコイルＬ２にて発生した磁束は、コンデンサＣ１，Ｃ２により妨げられにくい。これにより、コイルＬ１，Ｌ２内の磁束を強めることができ、ＬＣフィルタＬＣ１，ＬＣ２のノーマルモードノイズの除去特性を向上させることができると共に、ＬＣフィルタＬＣ１とＬＣフィルタＬＣ２との磁気的結合を強めることができ、コモンモードチョークコイルＬ１１のコモンモードノイズの除去特性を向上させることが可能となる。なお、同様のことが、ＬＣフィルタＬＣ３，ＬＣ４及びコイルＬ１，Ｌ２についても言える。
【００３１】
ところで、ノイズフィルタ１０ａでは、図３に示すように、浮遊容量ＣＰ１，ＣＰ２を発生させている。浮遊容量ＣＰ１は、コイル電極層３０とコイル電極層３４及びコイル電極３８とコイル電極４２をｚ軸方向に重ねることにより、コイルＬ１とコイルＬ２との間及びコイルＬ３とコイルＬ４との間に発生する浮遊容量である。浮遊容量ＣＰ１を発生させていることにより、以下に図５を参照しながら説明するように、ノイズフィルタ１０ａのノーマルモードノイズを効率よく除去できると共に、ノーマルモードノイズの挿入損失の変化を急峻にできる。
【００３２】
また、浮遊容量ＣＰ２は、コイル電極層３０，３４，３８，４２をｚ軸方向に重ねることにより、コイルＬ１〜Ｌ４の両端に発生する浮遊容量である。浮遊容量ＣＰ２を発生させていることにより、以下に図６を参照しながら説明するように、ノーマルモードノイズ及びコモンモードノイズのカットオフ周波数を低くできると共に、ノーマルモードノイズ及びコモンモードノイズの挿入損失の変化を急峻にできる。図５及び図６は、ノーマルモードノイズ及びコモンモードノイズの挿入損失と周波数との関係を示したグラフである。縦軸は、挿入損失を示し、横軸は、周波数を示す。
【００３３】
まず、浮遊容量ＣＰ１が奏する効果について説明する。図５には、浮遊容量ＣＰ１があると仮定した場合におけるノーマルモードノイズの挿入損失と、浮遊容量ＣＰ１がないと仮定した場合におけるノーマルモードノイズの挿入損失とが示されている。コモンモードノイズが浮遊容量ＣＰ１の影響を受けないので、コモンモードの挿入損失については、図５に記載していない。
【００３４】
図３に示すように、浮遊容量ＣＰ１を発生させていると、コイルＬ１，Ｌ２と浮遊容量ＣＰ１とは、ＬＣフィルタを構成する。そのため、浮遊容量ＣＰ１を発生させていると、浮遊容量ＣＰ１を発生させていない場合に比べて、図５に示すように、高周波側の共振点におけるノーマルモードノイズを効率よく除去できる。更に、浮遊容量ＣＰ１を発生させると、浮遊容量ＣＰ１を発生させない場合に比べて、図５に示すように、高周波側の共振点におけるノーマルモードノイズの挿入損失が急峻に変化する。
【００３５】
次に、浮遊容量ＣＰ２が奏する効果について説明する。図６には、浮遊容量ＣＰ２があると仮定した場合におけるノーマルモードノイズ及びコモンモードノイズの挿入損失と、浮遊容量ＣＰ２がないと仮定した場合におけるノーマルモードノイズ及びコモンモードノイズの挿入損失とが示されている。
【００３６】
浮遊容量ＣＰ２を発生させていると、浮遊容量ＣＰ２を発生させない場合に比べて、図６に示すように、ノーマルモードノイズ及びコモンモードノイズの共振点の周波数が低くなっている。すなわち、浮遊容量ＣＰ２を発生させると、浮遊容量ＣＰ２を発生させない
場合に比べて、カットオフ周波数が低くなる。更に、浮遊容量ＣＰ２を発生させると、浮遊容量ＣＰ２を発生させない場合に比べて、図６に示すように、高周波側の共振点におけるノーマルモードノイズ及びコモンモードの挿入損失が急峻に変化する。
【００３７】
（変形例）
図２に示すノイズフィルタ１０ａでは、結合用電極層７０は、２つの環状の線状電極が接続された形状を有しているが、該結合用電極層７０の形状はこれに限らない。結合用電極層７０は、コイルＬ１〜Ｌ４にて発生した磁束を妨げない形状を有していればよい。すなわち、結合用電極層７０は、ｚ軸方向から平面視したときに、コイルＬ１〜Ｌ４と重ならないように形成されていればよい。したがって、結合用電極層７０は、図７（ａ）〜図７（ｆ）に示す結合用電極層７０の変形例のような形状であってもよい。
【００３８】
（第２の実施形態）
以下に、第２の実施形態に係るノイズフィルタ１０ｂの構成について図面を参照しながら説明する。図８は、第２の実施形態に係るノイズフィルタ１０ｂの積層体１２ｂの分解斜視図である。図９は、ノイズフィルタ１０ｂの等価回路図である。図８及び図９において、図２及び図３と同じ構成については、同じ参照符号が付してある。
【００３９】
積層体１２ｂは、図８に示すように、誘電体層１６ａ，２４ａのそれぞれにコンデンサ電極層８０，８２，８４，８６，９０，９２，９４，９６が形成されている点において、積層体１２ａと相違する。以下、積層体１２ｂと積層体１２ａとの相違点を中心に説明を行う。
【００４０】
誘電体層１６ａには、コンデンサ電極層５０，５２，５４，５６，８０，８２，８４，８６が形成されている。コンデンサ電極層８０とコンデンサ電極層５８とは、誘電体層１６ａを挟んで対向することにより、コンデンサＣ５を構成している。コンデンサ電極層８２とコンデンサ電極層５８とは、誘電体層１６ａを挟んで対向することにより、コンデンサＣ６を構成している。コンデンサ電極層８４とコンデンサ電極層５８とは、誘電体層１６ａを挟んで対向することにより、コンデンサＣ７を構成している。コンデンサ電極層８６とコンデンサ電極層５８とは、誘電体層１６ａを挟んで対向することにより、コンデンサＣ８を構成している。
【００４１】
更に、コンデンサ電極層８０のｙ軸方向の正方向側の端部には、引き出し部８１が設けられている。これにより、図９に示すように、コンデンサＣ５は、外部電極Ｅ１と外部電極Ｅ９，Ｅ１０との間に接続されるようになる。また、コンデンサ電極層８２のｙ軸方向の正方向側の端部には、引き出し部８３が設けられている。これにより、図９に示すように、コンデンサＣ６は、外部電極Ｅ３と外部電極Ｅ９，Ｅ１０との間に接続されるようになる。また、コンデンサ電極層８４のｙ軸方向の正方向側の端部には、引き出し部８５が設けられている。これにより、図９に示すように、コンデンサＣ７は、外部電極Ｅ５と外部電極Ｅ９，Ｅ１０との間に接続されるようになる。また、コンデンサ電極層８６のｙ軸方向の正方向側の端部には、引き出し部８７が設けられている。これにより、図９に示すように、コンデンサＣ８は、外部電極Ｅ７と外部電極Ｅ９，Ｅ１０との間に接続されるようになる。
【００４２】
誘電体層２４ａには、コンデンサ電極層６０，６２，６４，６６，９０，９２，９４，９６が形成されている。コンデンサ電極層９０とコンデンサ電極層６８とは、誘電体層２４ｂを挟んで対向することにより、コンデンサＣ５を構成している。コンデンサ電極層９２とコンデンサ電極層６８とは、誘電体層２４ｂを挟んで対向することにより、コンデンサＣ６を構成している。コンデンサ電極層９４とコンデンサ電極層６８とは、誘電体層２４ｂを挟んで対向することにより、コンデンサＣ７を構成している。コンデンサ電極層９
６とコンデンサ電極層６８とは、誘電体層２４ｂを挟んで対向することにより、コンデンサＣ８を構成している。
【００４３】
更に、コンデンサ電極層９０のｙ軸方向の正方向側の端部には、引き出し部９１が設けられている。これにより、図９に示すように、コンデンサＣ５は、外部電極Ｅ１と外部電極Ｅ９，Ｅ１０との間に接続されるようになる。また、コンデンサ電極層９２のｙ軸方向の正方向側の端部には、引き出し部９３が設けられている。これにより、図９に示すように、コンデンサＣ６は、外部電極Ｅ３と外部電極Ｅ９，Ｅ１０との間に接続されるようになる。また、コンデンサ電極層９４のｙ軸方向の正方向側の端部には、引き出し部９５が設けられている。これにより、図９に示すように、コンデンサＣ７は、外部電極Ｅ５と外部電極Ｅ９，Ｅ１０との間に接続されるようになる。また、コンデンサ電極層９６のｙ軸方向の正方向側の端部には、引き出し部９７が設けられている。これにより、図９に示すように、コンデンサＣ８は、外部電極Ｅ７と外部電極Ｅ９，Ｅ１０との間に接続されるようになる。
【００４４】
ノイズフィルタ１０ｂは、コンデンサＣ４〜Ｃ８が追加されて、Π型構造をとることによって、ノーマルモードノイズ及びコモンモードノイズの挿入損失を急峻かつ大きくすることができる。
【００４５】
（第３の実施形態）
以下に、第３の実施形態に係るノイズフィルタ１０ｃの構成について図面を参照しながら説明する。図１０は、第３の実施形態に係るノイズフィルタ１０ｃの積層体１２ｃの分解斜視図である。図１１は、ノイズフィルタ１０ｃの等価回路図である。図１０及び図１１において、図２及び図３と同じ構成については、同じ参照符号が付してある。
【００４６】
積層体１２ｃは、図１０に示すように、誘電体層１６ａ，１６ｂ，２４ａ，２４ｂの代わりに、誘電体層１６ｃ，２４ｃが設けられている点において、図２に示す積層体１２ａと相違する。以下、積層体１２ｃと積層体１２ａとの相違点を中心に説明を行う。
【００４７】
ノイズフィルタ１０ｂでは、図１０に示すように、コイルＬ１，Ｌ２，Ｌ３，Ｌ４の途中に、コンデンサ電極層１００，１０３が形成された誘電体層１６ｃ，２４ｃが挿入される。より詳細には、誘電体層１６ｃは、誘電体層１８ｃと誘電体層１８ｄとの間に配置される。また、誘電体層２４ｃは、誘電体層２２ｃと誘電体層２２ｄとの間に配置される。コンデンサ電極層１００，１０３（接地用電極）は、ｚ軸方向から平面視した場合に、コイルＬ１〜Ｌ４のコイル軸と重ならないように、電極層が形成されていない空白部を有している。ビア導体３２ｃ，３６ｄ，４０ｄ，４４ｃは、コンデンサ電極層１００，１０３と接触しないように、空白部を貫通している。これにより、コンデンサ電極層１００は、誘電体層１６ｃ，１８を挟んでコイル電極層３０，４２と対向して、コンデンサＣ９，Ｃ１２を形成している。また、コンデンサ電極層１０３は、誘電体層２２，２４ｃを挟んでコイル電極層３４，３８と対向して、コンデンサＣ１０，Ｃ１１を形成している。
【００４８】
更に、コンデンサ電極層１００は、ｘ軸方向の両端において引き出し部１０１，１０２を有している。引き出し部１０１，１０２はそれぞれ、外部電極Ｅ９，Ｅ１０に接続されている。その結果、コンデンサＣ９は、図１１に示すように、コイルＬ１と外部電極Ｅ９，Ｅ１０との間に接続されるようになる。同様に、コンデンサＣ１２は、図１１に示すように、コイルＬ４と外部電極Ｅ９，Ｅ１０との間に接続されるようになる。
【００４９】
また、コンデンサ電極層１０３は、ｘ軸方向の両端において引き出し部１０４，１０５を有している。引き出し部１０４，１０５はそれぞれ、外部電極Ｅ９，Ｅ１０に接続されている。その結果、コンデンサＣ１０は、図１１に示すように、コイルＬ２と外部電極Ｅ
９，Ｅ１０との間に接続されるようになる。同様に、コンデンサＣ１１は、図１１に示すように、コイルＬ３と外部電極Ｅ９，Ｅ１０との間に接続されるようになる。
【００５０】
ノイズフィルタ１０ｃによれば、以下に説明するように、コモンモードノイズを効率よく除去することができる。より詳細には、コイルが発生した磁束が電極層を貫通する際には、渦電流損が電極層において発生し、ノイズフィルタのコモンモードノイズの除去特性が低下する。そこで、ノイズフィルタ１０ｃでは、コンデンサ電極層１００，１０３に空白部が設けられている。これにより、コイルＬ１〜Ｌ４にて発生した磁束は、コンデンサ電極層１００，１０３の空白部を貫通するようになり、コンデンサ電極層１００，１０３にて渦電流損が発生せず、コイルＬ１〜Ｌ４にて発生する磁束が強くなる。その結果、コイルＬ１〜Ｌ４の時期的な結合が強くなり、ノイズフィルタ１０ｃにおいて、コモンモードノイズの除去特性が向上する。また、コイルＬ１〜Ｌ４にて発生する磁束が強くなるので、ＬＣフィルタＬＣ１〜ＬＣ４によるノーマルモードノイズの除去特性も向上する。
【００５１】
また、ノイズフィルタ１０ｃでは、コイル電極層３０，３４，３８，４２が、コイル電極層とコンデンサ電極層の一方とを兼ねている。故に、ノイズフィルタ１０ｃでは、ノイズフィルタ１０ａに比べて、誘電体層の枚数を減らすことが可能となる。
【００５２】
（第４の実施形態）
以下に、第４の実施形態に係るノイズフィルタ１０ｄの構成について図面を参照しながら説明する。図１２は、第４の実施形態に係るノイズフィルタ１０ｄの積層体１２ｄの分解斜視図である。図１３は、ノイズフィルタ１０ｄの等価回路図である。図１２及び図１３において、図２、図３、図１０及び図１１と同じ構成については、同じ参照符号が付してある。
【００５３】
積層体１２ｄは、図１２に示すように、誘電体層１６ａ，１６ｂ、２４ａ，２４ｂが更に追加されている点において、図１０に示す積層体１２ｃと相違する。誘電体層１６ａ，１６ｂ，２４ａ，２４ｂは、図２に示す積層体１２ａに含まれているものと同じである。
【００５４】
以上のような積層体１２ｄによれば、図１３に示すように、外部電極Ｅ２と外部電極Ｅ９，Ｅ１０との間にコンデンサＣ１が設けられ、外部電極Ｅ４と外部電極Ｅ９，Ｅ１０との間にコンデンサＣ２が設けられ、外部電極Ｅ６と外部電極Ｅ９，Ｅ１０との間にコンデンサＣ３が設けられ、外部電極Ｅ８と外部電極Ｅ９，Ｅ１０との間にコンデンサＣ４が設けられるようになる。これにより、ノイズフィルタ１０ｄは、Π型構造をとることによって、ノーマルモードノイズ及びコモンモードノイズの挿入損失を急峻かつ大きくすることができる。
【００５５】
（第５の実施形態）
以下に、第５の実施形態に係るノイズフィルタ１０ｅの構成について図面を参照しながら説明する。図１４は、第５の実施形態に係るノイズフィルタ１０ｅの積層体１２ｅの分解斜視図である。図１４において、図２と同じ構成については、同じ参照符号が付してある。
【００５６】
積層体１２ｅは、図１４に示すように、誘電体層１６ａ，１６ｂ、２４ａ，２４ｂの代わりに誘電体層１６ｄ，１６ｅ，２４ｄ，２４ｅが設けられている点において、図２に示す積層体１２ａと相違する。以下に、積層体１２ｅと積層体１２ａの相違点について説明する。
【００５７】
誘電体層１６ｄには、コンデンサ電極層１５０，１５２，１５４，１５６が形成されている。コンデンサ電極層１５０，１５２，１５４，１５６は、図２に示すコンデンサ電極
層５０，５２，５４，５６に比べてｘ軸方向の幅が狭く形成されている。これにより、コンデンサ電極層１５０，１５２，１５４，１５６（信号用電極）は、ｚ軸方向から平面視したときに、コイルＬ１，Ｌ４のコイル軸と重ならないようになっている。更に、コンデンサ電極層１５０，１５２，１５４，１５６のｙ軸方向の負方向側の端部にはそれぞれ、外部電極Ｅ２，Ｅ４，Ｅ６，Ｅ８と接続される引き出し部１５１，１５３，１５５，１５７が設けられている。
【００５８】
また、誘電体層１６ｅには、コンデンサ電極層１５８が形成されている。該コンデンサ電極層１５８は、ｚ軸方向から平面視したときに、コンデンサ電極層１５０，１５２，１５４，１５６と重なると共に、コイルＬ１，Ｌ４のコイル軸と重ならないように、電極層が形成されていない空白部を有するように形成されている。
【００５９】
また、誘電体層２４ｄには、コンデンサ電極層１６０，１６２，１６４，１６６が形成されている。コンデンサ電極層１６０，１６２，１６４，１６６は、図２に示すコンデンサ電極層６０，６２，６４，６６に比べてｘ軸方向の幅が狭く形成されている。これにより、コンデンサ電極層１６０，１６２，１６４，１６６は、積層方向から平面視したときに、コイルＬ２，Ｌ３のコイル軸と重ならないようになっている。更に、コンデンサ電極層１６０，１６２，１６４，１６６のｙ軸方向の負方向側の端部にはそれぞれ、外部電極Ｅ２，Ｅ４，Ｅ６，Ｅ８と接続される引き出し部１６１，１６３，１６５，１６７が設けられている。
【００６０】
また、誘電体層２４ｅには、コンデンサ電極層１６８が形成されている。該コンデンサ電極層１６８は、ｚ軸方向から平面視したときに、コンデンサ電極層１６０，１６２，１６４，１６６と重なると共に、コイルＬ２，Ｌ３のコイル軸と重ならないように、電極層が形成されていない空白部を有するように形成されている。
【００６１】
以上のような構成を有するノイズフィルタ１０ｅは、ノイズフィルタ１０ａと同じように、図２に示す回路構成を有する。
【００６２】
ノイズフィルタ１０ｅによれば、コンデンサ電極層１５０，１５２，１５４，１５６，１５８，１６０，１６２，１６４，１６６，１６８が、ｚ軸方向から平面視したときに、コイルＬ１〜Ｌ４と重ならないように形成されている。そのため、ノイズフィルタ１０ｅでは、コンデンサ電極層１５０，１５２，１５４，１５６，１５８，１６０，１６２，１６４，１６６，１６８における渦電流損の発生が抑制され、コイルＬ１〜Ｌ４にて発生する磁束が強くなる。その結果、コイルＬ１とコイルＬ２との磁気的な結合及びコイルＬ３とコイルＬ４との磁気的な結合が強くなり、ノイズフィルタ１０ｅのコモンモードノイズ除去特性がノイズフィルタ１０ａに比べて向上する。
【００６３】
（第６の実施形態）
以下に、第６の実施形態に係るノイズフィルタ１０ｆの構成について図面を参照しながら説明する。図１５は、第６の実施形態に係るノイズフィルタ１０ｆの積層体１２ｆの分解斜視図である。図１５において、図２及び図１４と同じ構成については、同じ参照符号が付してある。
【００６４】
積層体１２ｆは、図１５に示すように、誘電体層１６ａ，１６ｂ，２４ａ，２４ｂの代わりに、誘電体層１６ｄ，１６ｅ，１６ｆ，２４ｄ，２４ｅ，２４ｆが設けられている点において、図８に示す積層体１２ｂと相違する。以下に、積層体１２ｆと積層体１２ｂの相違点について説明する。
【００６５】
積層体１２ｆは、図１５に示すように、誘電体層１４ｃと誘電体層１６ｄとの間に、誘
電体層１６ｆが設けられている。該誘電体層１６ｆには、コンデンサ電極層２５０，２５２，２５４，２５６が形成されている。コンデンサ電極層２５０，２５２，２５４，２５６は、ｚ軸方向から平面視したときに、コンデンサ電極層１５８と重なるように形成されている。これにより、コンデンサ電極層２５０とコンデンサ電極層１５０とは、コンデンサＣ５を構成する。コンデンサ電極層２５２とコンデンサ電極層１５２とは、コンデンサＣ６を構成する。コンデンサ電極層２５４とコンデンサ電極層１５４とは、コンデンサＣ７を構成する。コンデンサ電極層２５６とコンデンサ電極層１５６とは、コンデンサＣ８を構成する。更に、コンデンサ電極層２５０，２５２，２５４，２５６のｙ軸方向の正方向側の端部にはそれぞれ、外部電極Ｅ１，Ｅ３，Ｅ５，Ｅ７と接続される引き出し部２５１，２５３，２５５，２５７が設けられている。
【００６６】
また、誘電体層２４ｆには、コンデンサ電極層２６０，２６２，２６４，２６６が形成されている。コンデンサ電極層２６０，２６２，２６４，２６６は、ｚ軸方向から平面視したときに、コンデンサ電極層１６８と重なるように形成されている。これにより、コンデンサ電極層２６０とコンデンサ電極層１６０とは、コンデンサＣ５を構成する。コンデンサ電極層２６２とコンデンサ電極層１６２とは、コンデンサＣ６を構成する。コンデンサ電極層２６４とコンデンサ電極層１６４とは、コンデンサＣ７を構成する。コンデンサ電極層２６６とコンデンサ電極層１６６とは、コンデンサＣ８を構成する。更に、コンデンサ電極層２６０，２６２，２６４，２６６のｙ軸方向の正方向側の端部にはそれぞれ、外部電極Ｅ１，Ｅ３，Ｅ５，Ｅ７と接続される引き出し部２６１，２６３，２６５，２６７が設けられている。
【００６７】
以上のような構成を有するノイズフィルタ１０ｆは、ノイズフィルタ１０ｂと同じように、図９に示す回路構成を有する。
【００６８】
ノイズフィルタ１０ｆによれば、コンデンサ電極層１５８，１６８，２５０，２５２，２５４，２５６，２６０，２６２，２６４，２６６が、ｚ軸方向から平面視したときに、コイルＬ１〜Ｌ４と重ならないように形成されている。そのため、ノイズフィルタ１０ｆでは、コンデンサ電極層１５８，１６８，２５０，２５２，２５４，２５６，２６０，２６２，２６４，２６６における渦電流損の発生が抑制され、コイルＬ１〜Ｌ４にて発生する磁束が強くなる。その結果、コイルＬ１とコイルＬ２との磁気的な結合及びコイルＬ３とコイルＬ４との磁気的な結合が強くなり、ノイズフィルタ１０ｆのコモンモードノイズ除去特性がノイズフィルタ１０ｂに比べて向上する。
【００６９】
（第７の実施形態）
以下に、第７の実施形態に係るノイズフィルタ１０ｇの構成について図面を参照しながら説明する。図１６は、第７の実施形態に係るノイズフィルタ１０ｇの積層体１２ｇの分解斜視図である。図１６において、図２及び図１４と同じ構成については、同じ参照符号が付してある。
【００７０】
積層体１２ｇは、図１６に示すように、誘電体層１６ａ，１６ｂ，２４ａ，２４ｂの代わりに、誘電体層１６ｄ，１６ｅ，２４ｄ，２４ｅが設けられている点において、図１２に示す積層体１２ｄと相違する。誘電体層１６ｄ，１６ｅ，２４ｄ，２４ｅは、図１２に示したものと同じであるので詳細な説明を省略する。
【００７１】
以上のような構成を有するノイズフィルタ１０ｇは、ノイズフィルタ１０ｄと同じように、図１３に示す回路構成を有する。
【００７２】
ノイズフィルタ１０ｇによれば、コンデンサ電極層１５０，１５２，１５４，１５６，１５８，１６０，１６２，１６４，１６６，１６８が、ｚ軸方向から平面視したときに、
コイルＬ１〜Ｌ４と重ならないように形成されている。そのため、ノイズフィルタ１０ｇでは、コンデンサ電極層１５０，１５２，１５４，１５６，１５８，１６０，１６２，１６４，１６６，１６８における渦電流損の発生が抑制され、コイルＬ１〜Ｌ４にて発生する磁束が強くなる。その結果、コイルＬ１とコイルＬ２との磁気的な結合及びコイルＬ３とコイルＬ４との磁気的な結合が強くなり、ノイズフィルタ１０ｇのコモンモードノイズ除去特性がノイズフィルタ１０ｄに比べて向上する。
【００７３】
（第８の実施形態）
以下に、第８の実施形態に係るノイズフィルタ１０ｈの構成について図面を参照しながら説明する。図１７は、第８の実施形態に係るノイズフィルタ１０ｈの積層体１２ｈの分解斜視図である。図１８は、ノイズフィルタ１０ｈの等価回路図である。図１７及び図１８において、図２及び図３と同じ構成については、同じ参照符号が付してある。
【００７４】
積層体１２ｈは、図１７に示すように、誘電体層２４ａと誘電体層２６ｃとの間に、誘電体層２４ｇが設けられている点において、図２に示す積層体１２ａと相違する。以下に、積層体１２ｈと積層体１２ａの相違点について説明する。
【００７５】
積層体１２ｈは、図１７に示すように、誘電体層２４ａと誘電体層２６ｃとの間に、誘電体層２４ｇが設けられている。該誘電体層２４ｇには、コンデンサ電極層３６０，３６２，３６４，３６６が形成されている。コンデンサ電極層３６０，３６２，３６４，３６６はそれぞれ、ｚ軸方向から平面視したときに、コンデンサ電極層６０，６２，６４，６６と重なるように形成されている。これにより、コンデンサ電極層６０とコンデンサ電極層３６０とは、コンデンサＣ１３を構成する。コンデンサ電極層６２とコンデンサ電極層３６２とは、コンデンサＣ１４を構成する。これにより、コンデンサ電極層６４とコンデンサ電極層３６４とは、コンデンサＣ１５を構成する。これにより、コンデンサ電極層６６とコンデンサ電極層３６６とは、コンデンサＣ１６を構成する。更に、コンデンサ電極層３６０，３６２，３６４，３６６のｙ軸方向の正方向側の端部にはそれぞれ、外部電極Ｅ１，Ｅ３，Ｅ５，Ｅ７と接続される引き出し部３６１，３６３，３６５，３６７が設けられている。
【００７６】
以上のような構成を有するノイズフィルタ１０ｈは、図１８に示す回路構成を有する。より詳細には、コイルＬ１，Ｌ２，Ｌ３，Ｌ４のそれぞれの両端間に、コンデンサＣ１３，Ｃ１４，Ｃ１５，Ｃ１６が形成される。そして、コンデンサ電極層３６０，３６２，３６４，３６６の形状や面積等を調整することにより、コンデンサＣ１３，Ｃ１４，Ｃ１５，Ｃ１６の容量を調整でき、ノイズフィルタ１０ｈのコモンモードノイズ及びノーマルモードノイズの除去特性を調整できる。
【００７７】
なお、ノイズフィルタ１０ｂ〜１０ｇについても、誘電体層２４ｇが設けられてもよい。
【００７８】
なお、ノイズフィルタ１０ａ〜１０ｈにおいて、コモンモードチョークコイルを１つ又は３つ以上備えていてもよい。
【産業上の利用可能性】
【００７９】
本発明は、ノイズフィルタに有用であり、ノーマルモードノイズ及びコモンモードノイズの両方を除去でき、かつ、小型化を図ることができる点において優れている。
【符号の説明】
【００８０】
Ｃ１〜Ｃ１６  コンデンサ
ＣＰ１，ＣＰ２  浮遊容量
Ｅ１〜Ｅ１０  外部電極
Ｌ１〜Ｌ４  コイル
Ｌ１１，Ｌ１２  コモンモードチョークコイル
ＬＣ１〜ＬＣ４  ＬＣフィルタ
１０ａ〜１０ｈ  ノイズフィルタ
１２ａ〜１２ｈ  積層体
１４ａ〜１４ｃ，１６ａ〜１６ｆ，１８ａ〜１８ｆ，２０，２２ａ〜２２ｆ，２４ａ〜２４ｇ，２６ａ〜２６ｃ  誘電体層
３０ａ〜３０ｆ，３４ａ〜３４ｆ，３８ａ〜３８ｆ，４２ａ〜４２ｆ  コイル電極層
３２ａ〜３２ｅ，３６ｂ〜３６ｆ，４０ｂ〜４０ｆ，４４ａ〜４４ｅ  ビア導体
５０，５２，５４，５６，５８，６０，６２，６４，６６，６８，８０，８２，８４，８６，９０，９２，９４，９６，１００，１０３，１５０，１５２，１５４，１５６，１５８，１６０，１６２，１６４，１６６，１６８，２５０，２５２，２５４，２５６，２５８，２６０，２６２，２６４，２６６，２６８，３６０，３６２，３６４，３６６  コンデンサ電極層
５１，５３，５５，５７，６１，６３，６５，６７，７１，７２，７３，７４，８１，８３，８５，８７，９１，９３，９５，９７，１０１，１０２，１０４，１０５，１５１，１５３，１５５，１５７，１６１，１６３，１６５，１６７，１７１，１７２，１７３，１７４，２５１，２５３，２５５，２５７，２６１，２６３，２６５，２６７，３６１，３６３，３６５，３６７  引き出し部
７０  結合用電極層
【図１】
0005568901.tif 000002
【図２】
0005568901.tif 000003
【図３】
0005568901.tif 000004
【図４】
0005568901.tif 000005
【図５】
0005568901.tif 000006
【図６】
0005568901.tif 000007
【図７】
0005568901.tif 000008
【図８】
0005568901.tif 000009
【図９】
0005568901.tif 000010
【図１０】
0005568901.tif 000011
【図１１】
0005568901.tif 000012
【図１２】
0005568901.tif 000013
【図１３】
0005568901.tif 000014
【図１４】
0005568901.tif 000015
【図１５】
0005568901.tif 000016
【図１６】
0005568901.tif 000017
【図１７】
0005568901.tif 000018
【図１８】
0005568901.tif 000019